(57)【要約】  編成効率を向上させることができる筒状編地の編成方法および横編機を提供する。  （ａ）に移動速度Ｖの時間ｔに従う変化として示すように、前針床ＦＢおよび後針床ＢＢなど、一対の針床を有する横編機で、一点鎖線と二点鎖線とのように、位相差を持たせて、両端で交差する筒状編地を編成する。位相差は、前後の針床から歯口に進出して編成動作を行う編針が相互に干渉しない間隔をあけるために設けられる。編針を駆動して編成動作を行わせる位置は、カムシステムを搭載して針床の長手方向に往復走行するキャリッジの位置に応じて変化する。前後の針床ＦＢ，ＢＢで重複して編地を編成し、キャリッジの一行程で（ｂ）に示す従来の周回編成の約２倍の編地を編成し、生産性を高めることができる。
2008078414.tif 000002
【特許請求の範囲】
【請求項１】
横編機で編糸が給糸される歯口で対峙する一対の針床を使用し、編幅の両端部を編糸の交差で繋いで筒状編地を編成する方法であって、
編幅の両端間で、一方の針床が先行し、他方の針床が少なくとも編針の編成動作が干渉しない間隔をあけて後行するように、給糸して編針が編成動作を行う位置を往復移動させ、かつ該位置の相対的な移動速度の変更も伴って、それぞれ編地を編成することを特徴とする筒状編地の編成方法。
【請求項２】
前記交差後に、各針床に対して編糸をそれぞれ折返し、各針床でそれぞれ同一の編糸で編成を繰返すことを特徴とする請求項１記載の筒状編地の編成方法。
【請求項３】
前記交差後に、各針床に給糸する編糸を交換して、各編糸をそれぞれ周回させながら編成することを特徴とする請求項１記載の筒状編地の編成方法。
【請求項４】
編糸が給糸される歯口で対峙する一対の針床と、
一方の針床に沿って往復走行可能で、編針を編成駆動する一方のカムシステムが搭載される一方のキャリッジと、
他方の針床に沿って往復走行可能で、編針を編成駆動する他方のカムシステムが搭載され、一方のキャリッジとは独立しての走行も可能な他方のキャリッジと、
編幅の両端間で、一方のキャリッジが先行し、他方のキャリッジが少なくとも編針の編成動作が干渉しない間隔をあけて後行するように、一方のキャリッジおよび他方のキャリッジを往復移動させ、各キャリッジのカムシステム毎に編糸を給糸して、それぞれ編地を編成するように制御する制御手段とを、備える横編機を使用し、
前記筒状の編地として、手袋を編成することを特徴とする請求項１〜３のいずれか１つに記載の筒状編地の編成方法。
【請求項５】
前記手袋として、甲側または掌側のうちの少なくとも一方にコーティングを施してコーティング手袋として使用するための原手を編成することを特徴とする請求項４記載の筒状編地の編成方法。
【請求項６】
編糸が給糸される歯口で対峙する一対の針床を備える横編機において、
一方の針床に沿って往復走行可能で、編針を編成駆動する一方のカムシステムが搭載される一方のキャリッジと、
他方の針床に沿って往復走行可能で、編針を編成駆動する他方のカムシステムが搭載され、一方のキャリッジとは独立しての走行も可能な他方のキャリッジと、
編幅の両端間で、一方のキャリッジが先行し、他方のキャリッジが少なくとも編針の編成動作が干渉しない間隔をあけて後行するように、一方のキャリッジおよび他方のキャリッジを往復移動させ、各キャリッジのカムシステム毎に編糸を給糸して、それぞれ編地を編成するように制御する制御手段とを、
含むことを特徴とする横編機。
【請求項７】
前記制御手段は、前記一方のキャリッジのカムシステムが編針を編成駆動する位置が編幅の端部に達すると停止および走行方向の反転を行い、前記他方のキャリッジのカムシステムが編針を編成駆動する位置が該編幅の端部に達してから停止するまでの間に、一方のキャリッジの反転走行による編成を開始するように制御することを特徴とする請求項６
記載の横編機。
【請求項８】
前記制御手段は、前記反転走行による編成の開始前の加速時に、前記一方のキャリッジを前記停止までの減速中の前記他方のキャリッジと前記歯口を挟んで行違うように制御することを特徴とする請求項７記載の横編機。
【発明の詳細な説明】
【技術分野】
【０００１】
本発明は、手袋などを無縫製で製造する筒状編地の編成方法および横編機に関する。
【背景技術】
【０００２】
従来から、図８（ａ）に示すような筒状編地１が手袋や靴下などとして、図８（ｂ）に示すような方法で一対の針床を前後に備える横編機で編成されている。筒状編地１を編成する場合は、編糸２がヤーンフィーダ３から編針に供給される位置を、前後の針床に周回させる。【０００３】
図８（ｂ）では、前後の針床を、対向する歯口の中心付近で編成する編幅に対応する長さを有する直線に符号４を付し、簡略化して示す。前後の針床４には、キャリッジ５ｆ，５ｂをそれぞれ長手方向に往復走行させる。前後のキャリッジ５ｆ，５ｂは、ブリッジ６で連結される。各キャリッジ５ｆ，５ｂには、針床４に多数配置されている編針に対し、歯口に進退するような編成動作を選択的に行わせる選針機構やカム機構を含むカムシステムが１組ずつ搭載される。ブリッジ６で連結される前後のキャリッジ５ｆ，５ｂは、針床４の長手方向に関して基本的に同じ位置の編針を前後の針床４から歯口に進出させる。しかしながら、前後の針床４の編針を両方とも歯口に進出させると干渉するので、天竺編みなどの編成は一方の針床の編針に対してのみ可能となる。【０００４】
したがって、たとえば、時刻ｔｘ１までには、針床４に対してブリッジ６で連結される前後のキャリッジ５ｆ，５ｂが右行して、丸印を付して示す後針床側のキャリッジ５ｂで駆動する編針にヤーンフィーダ３から編糸を給糸する。次に時刻ｔｘ２までには、前後のキャリッジ５ｆ，５ｂが左行して、丸印を付して示す前針床側のキャリッジ５ｆで駆動する編針にヤーンフィーダ３から編糸を給糸する。このような前後の針床４での編成を繰返すと、図８（ａ）に示すように、編糸２を周回させて、筒状編地１を編成することができる。【０００５】
図９（ａ）は、図８とは異なる考え方に基づく筒状編地１１を示す。この筒状編地１１は、天竺ジャカードの筒状編地編成方法の考え方に基づく（たとえば、特許文献１参照。）。また、図９（ｂ）は、筒状編地１１を編成する方法の一例を示す（たとえば、特許文献２参照。）。この筒状編地１１は、たとえばヤーンフィーダ３から前針床に編糸２を給糸するとともに、後針床には他の編糸１２をもう一つのヤーンフィーダ１３から給糸する。ヤーンフィーダ１３は、給糸口がヤーンフィーダ３の給糸口よりも前針床側に位置するものを使用する。編糸２と編糸１２とを編幅の両端で交差させ、各編糸２，１２は、各針床の編幅の両端で折返しながら、両端を交差で繋いで筒状編地１１を形成する。【０００６】
図９（ｂ）に示すように、前後のキャリッジ１５ｆ，１５ｂに、複数、たとえば２組ずつのカムシステムを搭載し、丸印を付して示すように、前後で編成に使用するカムシステムの位置が異なるようにすると、ブリッジ１６で前後のキャリッジ１５ｆ，１５ｂを連結して同時に走行させながら、前後の針床４で同時に編成を行うことができる。たとえば、時刻ｔｙ１までには、前後のキャリッジ１５ｆ，１５ｂが右行して、前針床側のキャリッジ１５ｆの先行側のカムシステムがヤーンフィーダ３からの給糸で編地を編成し、後針床側のキャリッジ１５ｂの後行側のカムシステムがヤーンフィーダ１３からの給糸で編地を編成する。時刻ｔｙ２までには、前後のキャリッジ１５ｆ，１５ｂが左行して、前針床側のキャリッジ１５ｆの先行側のカムシステムがヤーンフィーダ３からの給糸で編地を編成し、後針床側のキャリッジ１５ｂの後行側のカムシステムがヤーンフィーダ１３からの給糸で編地を編成する。前後のキャリッジ１５ｆ，１５ｂはブリッジ１６で連結されて同時に走行しても、編成動作を行う編針の位置に間隔があけられるので干渉することなく、前後の針床４で同時に編地を編成し、編幅の両端での交差で、筒状編地１１を形成することができる。【０００７】
図１０は、図９（ａ）に示すような筒状編地１１を編成する方法の他の例を示す。この例では、図８（ｂ）に示すようなカムシステムを１組ずつ搭載するキャリッジ５ｆ，５ｂをブリッジ６で連結して使用する。時刻ｔｚ１までには、前後のキャリッジ５ｆ，５ｂが右行して、ヤーンフィーダ３からの給糸で前針床側の編地を編成する。ヤーンフィーダ１３は、編幅の左側で待機させる。時刻ｔｚ２までには、ヤーンフィーダ３を編幅の右側で待機させながら、キャリッジ５ｆ，５ｂを左行させる空コースを行って、ヤーンフィーダ１３を連行可能な状態とする。時刻ｔｚ３までには、前後のキャリッジ５ｆ，５ｂが右行して、ヤーンフィーダ１３からの給糸で後針床側の編地を編成する。ヤーンフィーダ３は、編幅の右側で待機させる。次に時刻ｔｚ４までには、前後のキャリッジ５ｆ，５ｂが左行して、ヤーンフィーダ３からの給糸で前針床側の編地を編成する。ヤーンフィーダ１３は、編幅の右側で待機させる。時刻ｔｚ５までには、ヤーンフィーダ３を編幅の左側で待機させながら、キャリッジ５ｆ，５ｂを右行させる空コースを行って、ヤーンフィーダ１３を連行可能な状態とする。時刻ｔｚ６までには、前後のキャリッジ５ｆ，５ｂが左行して、ヤーンフィーダ１３からの給糸で後針床側の編地を編成する。ヤーンフィーダ３は、編幅の左側で待機させる。【０００８】
以上のような図８〜図１０では、前後のキャリッジ５ｆ，５ｂ；１５ｆ，１５ｂがブリッジ６，１６で連結されて同時に走行することを前提としている。前後のキャリッジを、ブリッジ６，１６のような剛体連結を用いないで、独立して走行させる技術も知られている（たとえば、特許文献３および特許文献４参照。）。
【特許文献１】特許第３１２６２７２号公報
【特許文献２】特開平１０−７２７４６号公報
【特許文献３】特許第２７３３６２７号公報
【特許文献４】特許第３３０９３２１号公報
【発明の開示】
【発明が解決しようとする課題】
【０００９】
図８（ａ）に示すような筒状編地１を図８（ｂ）に示すような周回編成で形成するためには、筒状の１コース分の編目を、前後のキャリッジ５ｆ，５ｂを編幅の両端間で１往復させて合計２コースの走行が必要となる。図９（ａ）に示すような２つのヤーンフィーダ３，１３を用いて、編幅の両端部を編糸２，１２の交差で繋ぐ筒状編地１１では、図９（ｂ）に示すような複数のカムシステムを搭載するキャリッジ１５ｆ，１５ｂを片道走行させるだけで、筒状の１コース分の編目を形成することができる。ただし、前後で使用するカムシステムに間隔をあける必要があるので、編幅の両側でキャリッジ１５ｆ，１５ｂが外部に出なければならない距離としての抜け代が大きくなる。この抜け代を含むキャリッジ１５ｆ，１５ｂの走行ストロークＳ２は、図８（ｂ）に示すキャリッジ５ｆ，５ｂの走行ストロークＳ１よりも大きくなってしまう。【００１０】
図１０に示すように、１組のカムシステムを搭載する前後のキャリッジ５ｆ，５ｂで筒状編地１１を編成する場合は、走行ストロークは小さくなっても、筒状の１コース分の編目を形成するために、空コースを含めて１．５往復分の走行が必要となる。図９（ａ）に示すような筒状編地１１は、図９（ｂ）に示すような方法で編成すれば、図８（ａ）に示すような筒状編地１よりも効率良く生産することができる。ただし、図９（ｂ）に示す方法は、キャリッジ１５ｆ，１５ｂの走行ストロークＳ２が大きくなり、増大する走行ストロークの分だけ編成には直接寄与しない時間が発生して編成効率を低下させる。【００１１】
特許文献３には、前後のキャリッジを独立に駆動する目的として、経糸挿入の便宜や片側のみ使用時の消費電力および機械疲労の低減などについて記載されている。特許文献４には、筒状編地の編成に関する記載はない。【００１２】
本発明の目的は、編成効率を向上させることができる筒状編地の編成方法および横編機を提供することである。
【課題を解決するための手段】
【００１３】
本発明は、横編機で編糸が給糸される歯口で対峙する一対の針床を使用し、編幅の両端部を編糸の交差で繋いで筒状編地を編成する方法であって、
編幅の両端間で、一方の針床が先行し、他方の針床が少なくとも編針の編成動作が干渉しない間隔をあけて後行するように、給糸して編針が編成動作を行う位置を往復移動させ、かつ該位置の相対的な移動速度の変更も伴って、それぞれ編地を編成することを特徴とする筒状編地の編成方法である。【００１４】
また本発明では、前記交差後に、各針床に対して編糸をそれぞれ折返し、各針床でそれぞれ同一の編糸で編成を繰返すことを特徴とする。【００１５】
また本発明では、前記交差後に、各針床に給糸する編糸を交換して、各編糸をそれぞれ周回させながら編成することを特徴とする。【００１６】
また本発明は、編糸が給糸される歯口で対峙する一対の針床と、
一方の針床に沿って往復走行可能で、編針を編成駆動する一方のカムシステムが搭載される一方のキャリッジと、
他方の針床に沿って往復走行可能で、編針を編成駆動する他方のカムシステムが搭載され、一方のキャリッジとは独立しての走行も可能な他方のキャリッジと、
編幅の両端間で、一方のキャリッジが先行し、他方のキャリッジが少なくとも編針の編成動作が干渉しない間隔をあけて後行するように、一方のキャリッジおよび他方のキャリッジを往復移動させ、各キャリッジのカムシステム毎に編糸を給糸して、それぞれ編地を編成するように制御する制御手段とを、備える横編機を使用し、
前記筒状の編地として、手袋を編成することを特徴とする。【００１７】
また本発明は、前記手袋として、甲側または掌側のうちの少なくとも一方にコーティングを施してコーティング手袋として使用するための原手を編成することを特徴とする。【００１８】
さらに本発明は、編糸が給糸される歯口で対峙する一対の針床を備える横編機において、
一方の針床に沿って往復走行可能で、編針を編成駆動する一方のカムシステムが搭載される一方のキャリッジと、
他方の針床に沿って往復走行可能で、編針を編成駆動する他方のカムシステムが搭載され、一方のキャリッジとは独立しての走行も可能な他方のキャリッジと、
編幅の両端間で、一方のキャリッジが先行し、他方のキャリッジが少なくとも編針の編成動作が干渉しない間隔をあけて後行するように、一方のキャリッジおよび他方のキャリッジを往復移動させ、各キャリッジのカムシステム毎に編糸を給糸して、それぞれ編地を編成するように制御する制御手段とを、
含むことを特徴とする横編機である。【００１９】
また本発明で、前記制御手段は、前記一方のキャリッジのカムシステムが編針を編成駆動する位置が編幅の端部に達すると停止および走行方向の反転を行い、前記他方のキャリッジのカムシステムが編針を編成駆動する位置が該編幅の端部に達してから停止するまでの間に、一方のキャリッジの反転走行による編成を開始するように制御することを特徴とする。【００２０】
また本発明で、前記制御手段は、前記反転走行による編成の開始前の加速時に、前記一方のキャリッジを前記停止までの減速中の前記他方のキャリッジと前記歯口を挟んで行違うように制御することを特徴とする。
【発明の効果】
【００２１】
本発明によれば、横編機で編糸が給糸される歯口で対峙する一対の針床を使用し、編幅の両端部を編糸の交差で繋いで筒状編地を編成する際に、両方の針床でほぼ同時に編地を編成する。編幅の両端間で、一方の針床が先行し、他方の針床が少なくとも編針の編成動作が干渉しない間隔をあけて後行するように、給糸して編針が編成動作を行う位置を往復移動させるので、効率よく筒状の編地を編成することができる。編針が編成を行う位置の移動速度は、針床間での相対的な変更も伴うので、一方を停止させる際などには、干渉しない範囲で他方の移動を続け、両方とも同様に停止させる場合に比較して、編成効率を向上させることができる。【００２２】
また本発明によれば、筒状編地を一方側と他方側でそれぞれ折返して編成する編地の繋ぎ合わせとして形成することができる。一方側と他方側とで、編糸の素材や編成条件を異ならせれば、編地の性質が一方側と他方側とで異なる筒状編地も容易に無縫製で形成することができる。【００２３】
また本発明によれば、同時に逆向きの周回編成を組合わせて、筒状編地を効率よく編成することができる。【００２４】
また本発明によれば、筒状編地として手袋を効率よく編成することができる。【００２５】
また本発明によれば、甲側または掌側のうちの少なくとも一方にコーティングを施し、コーティング手袋として使用するための原手として、筒状の編地を編成することができる。筒状の編地には繋ぎ目が生じるけれども、繋ぎ目がコーティングで覆われ、外観には影響しないようにすることができる。コーティングの範囲が小さくて、繋ぎ目がコーティングで覆われなくても、コーティングの存在で繋ぎ目を目立たなくすることができる。【００２６】
さらに本発明によれば、横編機で、一方の針床に沿って往復移動可能なキャリッジと他方の針床に沿って往復移動可能なキャリッジとを、それぞれ独立に、編針の編成動作が干渉しない間隔をあけて走行させ、編幅の両端部を編糸の交差で繋ぐ筒状編地を効率よく編成することができる。【００２７】
また本発明によれば、一方のキャリッジのカムシステムが編針を編成駆動する位置が編幅の端部に達すると停止および走行方向の反転を行いながら、他方のキャリッジのカムシステムで編針を編成駆動するので、他方の編成には一方の停止や反転の影響が及ばないようにして、効率の低下を抑えることができる。【００２８】
また本発明によれば、一方のキャリッジの反転走行による編成の開始前の加速時に、減速中の他方のキャリッジと歯口を挟んで行違うように制御するので、速度差による行違いの影響を小さくすることができる。  
【図面の簡単な説明】
【００２９】
【図１】図１は、本発明の実施の一形態としての筒状編地の編成方法の基本的な考え方を、従来の周回編成による筒状編地の編成方法と対比して、走行速度の時間的変化として示すグラフである。
【図２】図２は、図１（ａ）に示す考え方を適用して、図８（ａ）に示すような筒状編地１１を編成する方法の概要を示す図である。
【図３】図３は、図１および図２に示すような編成が可能な横編機２０の概略的な構成を示す簡略化した平面図である。
【図４】図４は、図２に示すような方法で図９（ａ）に示すような筒状編地１１を編成する際に、編幅の端部で形成される交差の状態を示す図である。
【図５】図５は、本実施形態の編成方法を適用することができるコーティング手袋４０の外観構成を示す図である。
【図６】図６は、本発明の実施の他の形態として、筒状編地を編成する方法を概略的に示す図である。
【図７】図７は、図６の編成方法の場合について、編幅の端部での編糸の交差状態を示す図である。
【図８】図８は、従来からの周回編成による筒状編地１とその編成方法の概要とを示す図である。
【図９】図９は、従来からの両端を交差させる筒状編地１１とその編成方法の概要とを示す図である。
【図１０】図１０は、図９の筒状編地１１の他の編成方法を示す図である。
【符号の説明】
【００３０】
１１  筒状編地
２，１２  編糸
３、１３  ヤーンフィーダ
４，４ｆ，４ｂ  針床
５ｆ、５ｂ  キャリッジ
２０  横編機
２５  コントローラ
３０ｘ，５０ｘ  交差部
【発明を実施するための最良の形態】
【００３１】
図１は、本発明の実施の一形態としての筒状編地の編成方法の基本的な考え方を、従来の周回編成による筒状編地の編成方法と対比して示す。すなわち、本発明では、（ａ）に移動速度Ｖの時間ｔに従う変化として示すように、前針床ＦＢおよび後針床ＢＢなど、一対の針床を有する横編機で、一点鎖線と二点鎖線とのように、編成開始の時間差Ｄに対応する位相差を持たせて図９（ａ）に示すような筒状編地１１を編成する。位相差は、前後の針床から歯口に進出して編成動作を行う編針が相互に干渉しない間隔をあけるために設けられる。編針を駆動して編成動作を行わせる位置は、たとえばカムシステムを搭載して針床の長手方向に往復走行するキャリッジの位置に応じて変化する。図１（ｂ）では、図８に示すような周回編成でのキャリッジの移動速度Ｖの変化で、前後の針床ＦＢ，ＢＢで編幅に対応する時間Ｗの範囲を、斜線を施して示すように、交互に編成する。本発明では、図１（ａ）に示すように、前後の針床ＦＢ，ＢＢで重複して編地を編成し、たとえばキャリッジの一行程で従来の周回編成の約２倍の編地を編成し、生産性を高めることができる。【００３２】
キャリッジで編針を編成駆動する場合、編幅の端をキャリッジが抜けてから停止し、走行方向を反転して再び編地を編成するまでに、抜け代に対応する時間Ｘを設ける必要がある。図９（ｂ）に示すようなキャリッジ１５ｆ，１５ｂの走行ストロークＳ２の増大は、時間Ｘの増加をもたらす。また、図９（ｂ）のように前後のキャリッジ１５ｆ，１５ｂがブリッジ１６で連結して走行する場合、図１（ｂ）に示すような走行速度Ｖに差を持たせるような制御を行うことはできない。【００３３】
図１（ａ）では、編幅に対応する時間Ｗの中間でキャリッジの走行速度が最大となり、その前後で加減速制御している。編幅の始端では加速中であり、編幅の終端では減速中であるので、キャリッジの走行速度の反転は、カムシステムが編針を編成駆動する位置が編幅の外部に出ている状態で行う。先行するキャリッジと後行のキャリッジとは、最大速度で走行する際にも相互に干渉しない間隔があくように、位相差を設けるけれども、編幅の外部では、先行側が走行速度を反転しての加速時に、後行側が減速しながら接近し、さらに行違う。行違いの際には、両方のキャリッジが針床の長手方向に関して同一の位置を逆方向に走行するけれども、編針の編成駆動は行わないので、干渉は生じない。キャリッジが連行するヤーンフィーダについては、行違いの際に交差を生じさせる。【００３４】
図２は、図１（ａ）に示す考え方を適用して、図８（ａ）に示すような筒状編地１１を編成する方法の概要を示す。以下、図８〜図１０に対応する部分には同一の参照符を付し、重複する説明を省略する。なお、本発明では、前後の針床４で、キャリッジカムシステムを１組ずつ搭載するキャリッジ５ｆ，５ｂを独立に走行させる。【００３５】
時刻ｔａ１として示すように、前後のキャリッジ５ｆ，５ｂを、一方、たとえば右方に、前針床のキャリッジ５ｆがヤーンフィーダ３を連行して先行し、後針床のキャリッジ５ｂがヤーンフィーダ１３を連行して後行するように、両方とも最大速度で走行させながら、編地をそれぞれ編成する。時刻ｔａ２で先行する前針床のキャリッジ５ｆが針床４の編幅の右端に接近すると、キャリッジ５ｆの減速を開始する。後行のキャリッジ５ｂの走行速度は、最大速度を保つ。時刻ｔａ３では、前針床のキャリッジ５ｆを針床４の編幅の右端の外部に出して走行を停止させてから、逆方向への加速を開始する。後針床のキャリッジ５ｂは減速して、編幅の右端に接近させる。【００３６】
時刻ｔａ４では、走行方向を反転して加速している前針床のキャリッジ５ｆが編幅の右端に達して左行時の編成を開始するとともに、後針床のキャリッジ５ｂが減速しながら編幅の右端に達して、行違う。この行違いは、編幅の右端またはその外部であれば、編針の編成駆動が行われないので、可能である。時刻ｔａ５では、前針床のキャリッジ５ｆが左行しての編成を進めながら加速し、後針床のキャリッジ５ｂが編幅の右端の外部で停止して反転する。時刻ｔａ６では、前針床のキャリッジ５ｆの左行が最大速度に達し、後針床のキャリッジ５ｂも左行して編成を開始する直前の加速状態となる。時刻ｔａ７では、前針床のキャリッジ５ｆがヤーンフィーダ３を連行して先行し、後針床のキャリッジ５ｂがヤーンフィーダ１３を連行して後行するように、両方とも最大速度で左方に走行させながら、編地をそれぞれ編成する。以下、編幅の左端でも右端と同様に、キャリッジ５ｆ，５ｂ」の走行方向をそれぞれ反転する。このような手順の繰り返しで、筒状編地１１を編成することができる。【００３７】
図３は、図１および図２に示すような編成が可能な横編機２０の概略的な構成を示す。横編機２０は、全体を支える基台２１上で、前後に対向する針床４ｆ，４ｂが支持される。各針床４ｆ，４ｂには、長手方向に独立に往復走行するキャリッジ５ｆ，５ｂがそれぞれ設けられる。針床４ｆ，４ｂ間の歯口２２の上方には、ヤーンフィーダ３，１３を案内する案内レール２３ｂ，２３ｆが懸架される。たとえば、ヤーンフィーダ３を案内する案内レール２３ｂが後針床４ｂ上、ヤーンフィーダ１３を案内する案内レール２３ｆが前針床４ｆ上にある位置関係で、ヤーンフィーダ３が前針床４ｆの編針に給糸し、ヤーンフィーダ１３が後針床４ｂの編針に給糸することで、編端で編糸を交差させることができる。なお、ヤーンフィーダ３，１３間の前後関係は、ヤーンフィーダ３が前針床４ｆ上にあっても、ヤーンフィーダ１３がヤーンフィーダ３よりも前側であったり、ヤーンフィーダ１３が後針床４ｂ上にあっても、ヤーンフィーダ３がヤーンフィーダ１３よりも後側であればよい。横編機２０の基台２１の内部などには、キャリッジ５ｆ，５ｂを独立して駆動するように制御するためのコントローラ２５が設けられる。キャリッジ５ｆ，５ｂを位相差を無くして同期しながら走行するように制御すれば、図８（ｂ）や図１０に示すように、ブリッジ６で連結する場合と同様な動作を行わせることもできる。【００３８】
ヤーンフィーダ３，１３は、独立して移動可能なように自走式とすることもできる。そのような場合は、コントローラ２５がヤーンフィーダ３，１３の移動を制御する。また、連行ピンなどを設けて、ヤーンフィーダ３，１３をキャリッジ５ｆ，５ｂで連行して移動させるようにすることもできる。そのような場合は、コントローラ２５で、ヤーンフィーダ３，１３とキャリッジ５ｆ，５ｂとの連行の組合せやタイミングを制御する。ヤーンフィーダ３，１３への編糸の供給は、上方から行うこともでき、また長手方向の一端側から行うこともできる。【００３９】
図４は、図２に示すような方法で図９（ａ）に示すような筒状編地１１を編成する際に、編幅の端部で形成される交差を編幅の内側の歯口内から見た状態として示す。図４（ａ）に示すように、たとえば、図２の時刻ｔａ３を過ぎて時刻ｔａ４に至るまでの間に、前針床４ｆで編目列３０ｆを１コース分編成した編糸２は、最後の編目からヤーンフィーダ３まで延びる状態で停止する。後針床４ｂで編目列３０ｂを１コース分編成してヤーンフィーダ１３まで延びる編糸１２は、編糸２の上に掛って、交差部３０ｘが形成される。図４（ｂ）に示すように、前針床４ｆ側のキャリッジ５ｆが走行方向を反転しヤーンフィーダ３を連行すると、交差部３０ｘで編糸２が折返される。さらに逆方向に編糸２で前針床４ｆに対して次のコースの編目列３０ｆを編成する際には、同じ編糸２で先に形成される編目列３０ｆの次のコースの編目列３０ｆとなる。後針床４ｂ側でも編糸１２を交差部３０ｘで折返して、次のコースの編目列３０ｂが編成される。前針床４ｆで編成される編目列３０ｆと後針床４ｂで編成される編目列３０ｂとは異なる編糸２，１２でそれぞれ編成されるけれども、交差部３０ｘで繋がるので、全体として筒状編地１１として形成することができる。【００４０】
図５は、本実施形態の編成方法を適用することができるコーティング手袋４０の外観構成を示す。コーティング手袋４０では、筒状編地１１と同様に編成するコーティング手袋用原手４１の一面側にコーティング層４２を設けている。コーティング層４２としては、たとえばゴム材質などを用いて、滑り止めとすることができる。その他、コーティング層４２の材質に応じて、防水、防寒、耐熱などの機能を持たせることができる。コーティング手袋用原手４１としては、両端で交差させて筒状編地１１を形成する際に、繋ぎ目線４３が形成されてしまう。従来からの筒状編成による手袋では、編出し線４４は存在しても繋ぎ目線４３は存在しない。したがって、コーティング層４２で繋ぎ目線４３を覆うようにすれば、外観は図９（ａ）に従う従来の周回編成による筒状編地１を原手として用いる場合と変らないコーティング手袋４０を得ることができる。コーティング手袋用原手４１でも、手を挿入するための口部４５は、たとえば周回編成で形成することができる。【００４１】
コーティング手袋用原手４１は、図１に示すような編成方法で効率良く編成することができる。ただし、コーティング層４２は表目よりも裏目の編地の方に付きやすいので、手袋としての筒状編地１を編成した後で、裏返す。手を入れる内側面が表目となり、コーティング面が裏目となるので、コーティング用原手４１として好ましい編目状態となる。筒状編地１としての編成効率の向上で生産性を高めると、製造原価を低減することができるので、コーティング手袋４０としても製造コストの低減を図ることができる。【００４２】
なお、編幅の両端で繋ぐ筒状編地１１は、編糸２，１２の材質などを変えたり、編成の条件を変えて編成することもできる。たとえば、手袋として、掌側に耐熱性や機械的強度が高い編糸を用い、甲側に伸縮性の高い編糸を用いるように使い分けることもできる。また、掌側の糸張力を高めておいて、編成後に掌側が凹むようにすることもできる。また、このような筒状編地は、手袋ばかりではなく、靴下やサポータなどでも利用することができる。たとえば靴下や関節部分に着用するサポータなどでは、発汗しやすい裏側に吸湿性の高い編糸を使用し、変形の大きい表側に伸縮性の高い編糸を使用することができる。【００４３】
図６は、本発明の実施の他の形態として、筒状編地を編成する方法を概略的に示す。本実施形態では、２つのヤーンフィーダ３，１３からそれぞれ給糸する編糸を、前後の針床に逆方向にかつ同時に周回させる。すなわち、時刻ｔｂ１では、たとえば前針床のキャリッジ５ｆがヤーンフィーダ３を連行して先行し、後針床のキャリッジ５ｂがヤーンフィーダ１３を連行して後行しながら、全体としては右行して、針床４の両側で、位相差を持ちながら同時に編地を編成する。時刻ｔｂ２では、先行する前針床のキャリッジ５ｆが編幅の右端を抜けて、ヤーンフィーダ３を離してから走行方向を反転する。時刻ｔｂ３までの間に、後行する後針床のキャリッジ５ｂも編幅の右端に達してヤーンフィーダ１３を離して、走行方向を反転させる。先行する前針床のキャリッジ５ｆは、キャリッジ５ｂが離したヤーンフィーダ１３を連行して左行する。時刻ｔｂ４では、先行する前針床のキャリッジ５ｆがヤーンフィーダ１３を連行して左行するとともに、後行する後針床のキャリッジ５ｂもヤーンフィーダ３を連行して左行しながら、それぞれ編地を編成する。以下、編幅の左端でも、右端と同様に、キャリッジ５ｆ，５ｂの走行方向の反転と、ヤーンフィーダ３，１３の交換とを行う。これらの繰り返しで筒状編地を編成することができる。【００４４】
図７は、図６の編成方法の場合について、編幅の端部での編糸の交差を編幅の内側の歯口内から見た状態として示す。前針床側の編目列５０ｆでは、編糸２で編成されるコースに編糸１２で編成されるコースが続き、後針床側の編目列５０ｂでは、編糸１２で編成されるコースに編糸２で編成されるコースが続くように、交差部５０ｘが形成される。各編糸２，１２が交互に対向する針床で編成される編地に周回して筒状編地が編成されるので、両側の編地を同等に形成することができる。このような筒状編地も、前針床で編成される編目列５０ｆと後針床で編成される編目列５０ｂとの境界の交差部５０ｘによる繋ぎ目は、筒状編地の側面に繋ぎ目線を形成する。図５のコーティング手袋４０のようにコーティング層４２を付加すれば、繋ぎ目線を覆って見えなくすることができる。
【図１】
2008078414.tif 000003
【図２】
2008078414.tif 000004
【図３】
2008078414.tif 000005
【図４】
2008078414.tif 000006
【図５】
2008078414.tif 000007
【図６】
2008078414.tif 000008
【図７】
2008078414.tif 000009
【図８】
2008078414.tif 000010
【図９】
2008078414.tif 000011
【図１０】
2008078414.tif 000012
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
編糸が給糸される歯口で対峙する一対の針床を備える横編機を使用し、編幅の両端部を編糸の交差で繋いで筒状編地を編成する方法であって、
各針床に沿って独立して走行可能で、各針床の編針を編成駆動するカムシステムがそれぞれ１組ずつ搭載される一対のキャリッジを設け、
該一対のキャリッジ間には、一方が先行して他方が後行するように、位相差を設け、
編幅の中間では、両方のキャリッジを、最大速度で、かつキャリッジ間には相互に干渉しない間隔があくように、同一の方向に走行させ、
一方のキャリッジは、編幅の終端側で減速し、カムシステムが編針を編成駆動する位置が編幅の外部に出ている状態で走行方向を反転して加速を開始し、
他方のキャリッジは、一方のキャリッジの減速後も最大速度での走行を続けてから、編幅の終端側で減速し、
両方のキャリッジのカムシステムが編針を編成駆動する位置が編幅の外部に出ている状態で、両方のキャリッジが接近して行違い、行違いの後に、一方のキャリッジは編幅の始端に向って加速を続け、他方のキャリッジも走行方向を反転して加速を開始するようにして、
両方のキャリッジを往復走行させて、各針床でそれぞれ編地を編成することを特徴とする筒状編地の編成方法。
【請求項２】
前記交差後に、各針床に対して編糸をそれぞれ折返し、各針床でそれぞれ同一の編糸で編成を繰返すことを特徴とする請求項１記載の筒状編地の編成方法。
【請求項３】
前記交差後に、各針床に給糸する編糸を交換して、各編糸をそれぞれ周回させながら編成することを特徴とする請求項１記載の筒状編地の編成方法。
【請求項４】
前記筒状の編地として、手袋を編成することを特徴とする請求項１〜３のいずれか１つに記載の筒状編地の編成方法。
【請求項５】
前記手袋として、甲側または掌側のうちの少なくとも一方にコーティングを施してコーティング手袋として使用するための原手を編成することを特徴とする請求項４記載の筒状編地の編成方法。
【請求項６】
編糸が給糸される歯口で対峙する一対の針床を備える横編機において、
一方の針床に沿って往復走行可能で、編針を編成駆動する１組のカムシステムが搭載される一方のキャリッジと、
他方の針床に沿って往復走行可能で、編針を編成駆動する１組のカムシステムが搭載され、一方のキャリッジとは独立しての走行も可能な他方のキャリッジと、
各キャリッジのカムシステムに編糸を供給して、それぞれ編地を編成するように制御する制御手段であって、
該一対のキャリッジ間には、一方のキャリッジが先行し、他方のキャリッジが後行するように、位相差を設け、
編幅の中間では、両方のキャリッジを、最大速度で、かつキャリッジ間には相互に干渉しない間隔があくように、同一の方向に走行させ、
一方のキャリッジは、編幅の終端側で減速し、カムシステムが編針を編成駆動する位置が編幅の外部に出ている状態で走行方向を反転して加速を開始し、
他方のキャリッジは、一方のキャリッジの減速後も最大速度での走行を続けてから、編幅の終端側で減速し、
両方のキャリッジのカムシステムが編針を編成駆動する位置が編幅の外部に出ている状態で、両方のキャリッジが接近して行違い、行違いの後に、一方のキャリッジは編幅の始端に向って加速を続け、他方のキャリッジも走行方向を反転して加速を開始するようにして、
両方のキャリッジを往復移動させるように制御する制御手段とを、
含むことを特徴とする横編機。
【手続補正２】
【補正対象書類名】明細書
【補正対象項目名】０００４
【補正方法】変更
【補正の内容】
【０００４】
［０００９］
図８（ａ）に示すような筒状編地１を図８（ｂ）に示すような周回編成で形成するためには、筒状の１コース分の編目を、前後のキャリッジ５ｆ，５ｂを編幅の両端間で１往復させて合計２コースの走行が必要となる。図９（ａ）に示すような２つのヤーンフィーダ３，１３を用いて、編幅の両端部を編糸２，１２の交差で繋ぐ筒状編地１１では、図９（ｂ）に示すような複数のカムシステムを搭載するキャリッジ１５ｆ，１５ｂを片道走行させるだけで、筒状の１コース分の編目を形成することができる。ただし、前後で使用するカムシステムに間隔をあける必要があるので、編幅の両側でキャリッジ１５ｆ，１５ｂが外部に出なければならない距離としての抜け代が大きくなる。この抜け代を含むキャリッジ１５ｆ，１５ｂの走行ストロークＳ２は、図８（ｂ）に示すキャリッジ５ｆ，５ｂの走行ストロークＳ１よりも大きくなってしまう。
［００１０］
図１０に示すように、１組のカムシステムを搭載する前後のキャリッジ５ｆ，５ｂで筒状編地１１を編成する場合は、走行ストロークは小さくなっても、筒状の１コース分の編目を形成するために、空コースを含めて１．５往復分の走行が必要となる。図９（ａ）に示すような筒状編地１１は、図９（ｂ）に示すような方法で編成すれば、図８（ａ）に示すような筒状編地１よりも効率良く生産することができる。ただし、図９（ｂ）に示す方法は、キャリッジ１５ｆ，１５ｂの走行ストロークＳ２が大きくなり、増大する走行ストロークの分だけ編成には直接寄与しない時間が発生して編成効率を低下させる。
［００１１］
特許文献３には、前後のキャリッジを独立に駆動する目的として、経糸挿入の便宜や片側のみ使用時の消費電力および機械疲労の低減などについて記載されている。特許文献４には、筒状編地の編成に関する記載はない。
［００１２］
本発明の目的は、編成効率を向上させることができる筒状編地の編成方法および横編機を提供することである。
課題を解決するための手段
［００１３］
本発明は、編糸が給糸される歯口で対峙する一対の針床を備える横編機を使用し
【手続補正３】
【補正対象書類名】明細書
【補正対象項目名】０００５
【補正方法】変更
【補正の内容】
【０００５】
、編幅の両端部を編糸の交差で繋いで筒状編地を編成する方法であって、
各針床に沿って独立して走行可能で、各針床の編針を編成駆動するカムシステムがそれぞれ１組ずつ搭載される一対のキャリッジを設け、
該一対のキャリッジ間には、一方が先行して他方が後行するように、位相差を設け、
編幅の中間では、両方のキャリッジを、最大速度で、かつキャリッジ間には相互に干渉しない間隔があくように、同一の方向に走行させ、
一方のキャリッジは、編幅の終端側で減速し、カムシステムが編針を編成駆動する位置が編幅の外部に出ている状態で走行方向を反転して加速を開始し、
他方のキャリッジは、一方のキャリッジの減速後も最大速度での走行を続けてから、編幅の終端側で減速し、
両方のキャリッジのカムシステムが編針を編成駆動する位置が編幅の外部に出ている状態で、両方のキャリッジが接近して行違い、行違いの後に、一方のキャリッジは編幅の始端に向って加速を続け、他方のキャリッジも走行方向を反転して加速を開始するようにして、
両方のキャリッジを往復走行させて、各針床でそれぞれ編地を編成することを特徴とする筒状編地の編成方法である。
［００１４］
また本発明では、前記交差後に、各針床に対して編糸をそれぞれ折返し、各針床でそれぞれ同一の編糸で編成を繰返すことを特徴とする。
［００１５］
また本発明では、前記交差後に、各針床に給糸する編糸を交換して、各編糸をそれぞれ周回させながら編成することを特徴とする。
［００１６］
また本発明は、前記筒状の編地として、手袋を編成することを特徴とする。
［００１７］
また本発明は、前記手袋として、甲側または掌側のうちの少なくとも一方にコーティングを施してコーティング手袋として使用するための原手を編成することを特徴とする。
［００１８］
さらに本発明は、編糸が給糸される歯口で対峙する一対の針床を備える横編機において、
一方の針床に沿って往復走行可能で、編針を編成駆動する１組のカムシステムが搭載される一方のキャリッジと、
【手続補正４】
【補正対象書類名】明細書
【補正対象項目名】０００６
【補正方法】変更
【補正の内容】
【０００６】
他方の針床に沿って往復走行可能で、編針を編成駆動する１組のカムシステムが搭載され、一方のキャリッジとは独立しての走行も可能な他方のキャリッジと、
各キャリッジのカムシステムに編糸を供給して、それぞれ編地を編成するように制御する制御手段であって、
該一対のキャリッジ間には、一方のキャリッジが先行し、他方のキャリッジが後行するように、位相差を設け、
編幅の中間では、両方のキャリッジを、最大速度で、かつキャリッジ間には相互に干渉しない間隔があくように、同一の方向に走行させ、
一方のキャリッジは、編幅の終端側で減速し、カムシステムが編針を編成駆動する位置が編幅の外部に出ている状態で走行方向を反転して加速を開始し、
他方のキャリッジは、一方のキャリッジの減速後も最大速度での走行を続けてから、編幅の終端側で減速し、
両方のキャリッジのカムシステムが編針を編成駆動する位置が編幅の外部に出ている状態で、両方のキャリッジが接近して行違い、行違いの後に、一方のキャリッジは編幅の始端に向って加速を続け、他方のキャリッジも走行方向を反転して加速を開始するようにして、
両方のキャリッジを往復移動させるように制御する制御手段とを、
含むことを特徴とする横編機である。
［００１９］
［００２０］
発明の効果
［００２１］
本発明によれば、横編機で編糸が給糸される歯口で対峙する一対の針床を使用し、各針床毎に設けるキャリッジを往復走行させながら編幅の両端部を編糸の交差で繋いで筒状編地を編成する際に、両方の針床でほぼ同時に編地を編成する。編幅の両端間で、一方のキャリッジが先行し、他方のキャリッジが少なくとも編針の編成動作が干渉しない間隔をあけて後行するように、給糸して編針が編成動作を行う位置を往復移動させるので、効率よく筒状の編地を編成することができる。一方のキャリッジの走行方向を反転させるために停止させる際などには、干渉しない範囲で他方のキャリッジの移動を続け、両方のキャリッジを同様に停止させる場合に比較して、編成効率を向上させることができる。
［００２２］
また本発明によれば、筒状編地を一方側と他方側でそれぞれ折返して編成
【手続補正５】
【補正対象書類名】明細書
【補正対象項目名】０００７
【補正方法】変更
【補正の内容】
【０００７】
する編地の繋ぎ合わせとして形成することができる。一方側と他方側とで、編糸の素材や編成条件を異ならせれば、編地の性質が一方側と他方側とで異なる筒状編地も容易に無縫製で形成することができる。
［００２３］
また本発明によれば、同時に逆向きの周回編成を組合わせて、筒状編地を効率よく編成することができる。
［００２４］
また本発明によれば、筒状編地として手袋を効率よく編成することができる。
［００２５］
また本発明によれば、甲側または掌側のうちの少なくとも一方にコーティングを施し、コーティング手袋として使用するための原手として、筒状の編地を編成することができる。筒状の編地には繋ぎ目が生じるけれども、繋ぎ目がコーティングで覆われ、外観には影響しないようにすることができる。コーティングの範囲が小さくて、繋ぎ目がコーティングで覆われなくても、コーティングの存在で繋ぎ目を目立たなくすることができる。
［００２６］
さらに本発明によれば、横編機で、一方の針床に沿って往復移動可能なキャリッジと他方の針床に沿って往復移動可能なキャリッジとを、それぞれ独立に、編針の編成動作が干渉しない間隔をあけて走行させ、編幅の両端部を編糸の交差で繋ぐ筒状編地を効率よく編成することができる。一方のキャリッジを編幅の終端側で減速し、カムシステムが編針を編成駆動する位置が編幅の外部に出ている状態で停止および走行方向の反転を行いながら、他方のキャリッジの走行を続ける。他方のキャリッジによる編成には一方のキャリッジの停止や反転の影響が及ばないようにして、効率の低下を抑えることができる。
［００２７］
［００２８］
図面の簡単な説明
［００２９］
［図１］図１は、本発明の実施の一形態としての筒状編地の編成方法の基本的な考え方を、従来の周回編成による筒状編地の編成方法と対比して、走行速度
【国際調査報告】
2008078414.tif 000013
2008078414.tif 000014
2008078414.tif 000015
2008078414.tif 000016